(57)【要約】【課題】部品点数の増加を抑制しつつ収納ボックスの収納空間の内部を照明する。【解決手段】収納ボックス１１は、キャブ２に対して固定され、収納ボックス１１の外装パネル１４には、後方へ向かって開口するボックス開口１６が形成され、収納空間１７はボックス開口１６から前方へ延びる。リッド１３は、ボックス開口１６を閉止する閉止位置と、ボックス開口１６を開放する開放位置との間を傾動自在にキャブ２に支持される。リッド１３の上端部１９の裏面１３ａには、ランプ１２が固定され、リッド１３とともに傾動する。閉止状態のランプ１２は、収納ボックス１１及びリッド１３に上方から覆われることなく、ボックス開口１６よりも上方の車室４へ向かって光を照射可能であり、開放状態のランプ１２は、収納ボックス１１及びリッド１３に下方から覆われることなく、下方へ向かって光を照射可能である。【選択図】図４
2020044968.tif 000002
【特許請求の範囲】
【請求項１】
車室内に設けられる車両の照明付収納装置であって、
所定の開放方向へ向かって開口するボックス開口と、前記ボックス開口から前記開放方向とは反対方向へ延びる収納空間とを有し、車体に対して固定される収納ボックスと、
前記車体側に傾動自在に支持され、前記ボックス開口を閉止する閉止位置と、前記閉止位置における所定方向の一側の端部が前記開放方向且つ前記所定方向の他側へ傾動して前記ボックス開口を開放する開放位置との間を傾動可能なリッドと、
前記閉止位置における前記リッドの裏面側に固定されて前記リッドとともに傾動するランプと、を備え、
前記リッドを前記閉止位置に配置した閉止状態における前記ランプは、前記収納ボックス及び前記リッドに前記他側から覆われることなく、前記ボックス開口よりも前記他側の前記車室へ向かって光を照射可能であり、
前記リッドを前記開放位置に配置した開放状態における前記ランプは、前記収納ボックス及び前記リッドに前記一側から覆われることなく、前記一側へ向かって光を照射可能である
ことを特徴とする車両の照明付収納装置。
【請求項２】
請求項１に記載の車両の照明付収納装置であって、
前記閉止状態の前記リッドの前記他側の端部は、前記車室の前記他側を区画する車室内面部との間に間隙を設けた状態で前記車室内面部の前記一側の近傍に配置される
ことを特徴とする車両の照明付収納装置。
【発明の詳細な説明】
【技術分野】
【０００１】
本開示は、車両の照明付収納装置に関する。
【背景技術】
【０００２】
特許文献１には、キャブオーバー型トラックの車室内のフロントウィンドウガラスの上方のオーバーヘッドコンソールに設けられるボックスが記載されている。車室側に向かって開口するボックスの収納口は、リッドによって開閉可能となっている。なお、同公報には、ボックスの収納口が後方へ向かって開口し、リッドの下端側が後上方へ傾動してボックスの収納口を開放する状態が図示されている。
【先行技術文献】
【特許文献】
【０００３】
【特許文献１】特開２０００−３８０９０号公報
【発明の概要】
【発明が解決しようとする課題】
【０００４】
特許文献１に記載のようなオーバーヘッドコンソールに設けられるボックス（収納ボックス）では、収納ボックスの収納空間の内部が暗くて見え難い可能性がある。特に、上記特許文献１に記載の収納ボックスでは、リッドの下端側を後上方へ傾動してボックス開口を開放するので、収納ボックスの後方の車両の天井に室内灯があったとしても、リッドを開状態にした状態ではリッドが庇となって室内灯の光がリッドに遮られてしまい、収納空間の内部を照明することができない可能性がある。また、収納ボックスの収納空間の内部を照明するための専用のランプ等を設けると、その分だけ部品点数が増加してしまう。
【０００５】
そこで、本開示は、部品点数の増加を抑制しつつ収納ボックスの収納空間の内部を照明することが可能な車両の照明付収納装置の提供を目的とする。
【課題を解決するための手段】
【０００６】
上記課題を解決するため、本発明の第１の態様は、車室内に設けられる車両の照明付収納装置であって、収納ボックスとリッドとランプとを備える。収納ボックスは、所定の開放方向へ向かって開口するボックス開口と、ボックス開口から開放方向とは反対方向へ延びる収納空間とを有し、車体に対して固定される。リッドは、車体側に傾動自在に支持され、ボックス開口を閉止する閉止位置と、閉止位置における所定方向の一側の端部が開放方向且つ上記所定方向の他側へ傾動してボックス開口を開放する開放位置との間を傾動可能である。ランプは、閉止位置におけるリッドの裏面側に固定されてリッドとともに傾動する。リッドを閉止位置に配置した閉止状態におけるランプは、収納ボックス及びリッドに上記他側から覆われることなく、ボックス開口よりも上記他側の車室へ向かって光を照射可能である。リッドを開放位置に配置した開放状態におけるランプは、収納ボックス及びリッドに上記一側から覆われることなく、上記一側へ向かって光を照射可能である。
【０００７】
上記構成では、リッドに固定されたランプは、閉止状態で収納ボックス及びリッドに他側（前後方向と交叉する所定方向の他側）から覆われることなく、ボックス開口よりも上記他側の車室へ向かって光を照射可能であるので、ランプを、ボックス開口よりも上記他側の車室を照明する室内灯として機能させることができる。
【０００８】
また、リッドの閉止位置における一側（前後方向と交叉する所定方向の一側）の端部が上記他側の後方へ傾動してボックス開口を開放するので、開放状態のリッドの上記一側には、ボックス開口の少なくとも一部の領域が開口している。そして、開放状態におけるランプは、収納ボックス及びリッドに上記一側から覆われることなく、上記一側へ向かって光を照射可能であるので、収納ボックスの収納空間の内部をランプによって照明することができる。
【０００９】
このように、ランプを、収納空間の内部を照明するための照明灯及び室内灯の双方に兼用することができるので、収納空間の内部を照明するための照明灯と室内灯とを別々に設ける場合に比べ、部品点数を低減することができる。従って、部品点数の増加を抑制しつつ収納ボックスの収納空間の内部を照明することができる。
【００１０】
本発明の第２の態様は、上記第１の態様の車両の照明付収納装置であって、閉止状態のリッドの上記他側の端部は、車室の上記他側を区画する車室内面部との間に間隙を設けた状態で車室内面部の上記一側の近傍に配置される。
【００１１】
上記構成では、閉止状態のリッドの上記他側の端部は、車室内面部の上記一側の近傍に配置されるので、閉止状態におけるランプが照射する光によって車室内面部を照明することができる。閉止状態のリッドの上記他側の端部と車室内面部との間に間隙が設けられるので、閉止状態におけるランプを、車室内面部を照明することによって車室を間接的に照明する間接照明の室内灯として機能させることができる。
【発明の効果】
【００１２】
本開示によれば、部品点数の増加を抑制しつつ収納ボックスの収納空間の内部を照明することができる。
【図面の簡単な説明】
【００１３】
【図１】本発明の一実施形態に係る照明付収納装置を有する車両の外観斜視図である。
【図２】車室の右側の前面部を後方から視た状態の概略図である。
【図３】図２のIII−III矢視断面図である。
【図４】図３の照明付収納装置のリッドを開放した状態の断面図である。
【図５】他の実施形態に係る照明付収納装置の概略図であって、（ａ）は閉止状態を、（ｂ）は開放状態をそれぞれ示す。
【発明を実施するための形態】
【００１４】
以下、本発明の一実施形態を図面に基づいて説明する。なお、各図において、ＦＲは車両の前方を、ＵＰは上方を、ＩＮは車幅方向内側をそれぞれ示す。また、以下の説明において、前後方向は車両の前後方向を意味し、左右方向は車両前方を向いた状態での左右方向を意味する。
【００１５】
図１及び図２に示すように、本実施形態に係る照明付収納装置１０は、例えば、キャブ２のルーフパネル３を上方へ膨出させてキャブ２の車室４を上方へ拡大させたハイルーフ型の車両１の車室４の前上部のオーバーヘッドボックスに適用される。キャブ２のフロントパネル６の上部には、ウィンドウ開口６ａが形成され、ウィンドウ開口６ａにはフロントウィンドウ５が固定される。
【００１６】
図１〜図３に示すように、ルーフパネル３は、上方へ膨出するように形成され、キャブ２のフロントパネル６の上端部、キャブ２の左右のサイドパネル７Ｌ，７Ｒの上端部、及びキャブ２のバックパネル８の上端部に対して固定される。ルーフパネル３は、フロントパネル６の上端部から連続して上方へ延びるルーフ前板部３ａと、ルーフ前板部３ａの上端縁から曲折して後方へ延びるルーフ上板部３ｂと、ルーフ上板部３ｂの車幅方向両端縁から曲折して下方へ延びる左右のルーフ側板部３ｃ（図２には右側のルーフ側板部３ｃを図示している。）と、ルーフ上板部３ｂの後端縁から曲折して下方へ延びるルーフ後板部（図示省略）とを有する。ルーフパネル３の車室４側にはヘッドライニング９が設けられる。ヘッドライニング９は、ルーフ上板部３ｂを下方から覆う上面部（車室内面部）９ａと、左右のルーフ側板部３ｃを車幅方向内側から覆う側面部９ｂと、ルーフ後板部を前方から覆う後面部（図示省略）とを有する。
【００１７】
図２〜図４に示すように、照明付収納装置１０は、フロントウィンドウ５よりも上方の車室４の前上部の左右両側に設けられる。なお、左右の照明付収納装置１０は、車両１の左右に対称的に設けられ、略同様の構成を有するため、以下では、右側について説明し左側の説明を省略する。
【００１８】
照明付収納装置１０は、車室４の前上部に設けられる収納ボックス１１とランプ１２とリッド１３とを備える。
【００１９】
収納ボックス１１は、外装パネル１４とボックス本体１５とを有し、車室４の前上部に配置され、キャブ（車体）２に対して固定される。外装パネル１４は、キャブ２のフロントパネル６の上端部から後方へ延びる下板部１４ａと、下板部１４ａの後端縁部から上方へ延びる後板部１４ｂとを有し、車室４の前上部で車幅方向に亘って延びる。外装パネル１４の後板部１４ｂには、後方（開放方向）へ向かって開口する略矩形状のボックス開口１６が形成される。ボックス本体１５は、後方へ向かって開口する有底矩形筒状に形成され、内部に収納物を収納可能な収納空間１７を区画し、外装パネル１４の下板部１４ａの上方且つ後板部１４ｂのボックス開口１６の前方に配置される。ボックス本体１５は、収納空間１７が外装パネル１４のボックス開口１６から前方（開放方向とは反対方向）へ延びる状態でキャブ２に対して固定される。ボックス開口１６の上側の開口縁１６ａは、車室４を区画する内面部のうち車室４の上方を区画するヘッドライニング９の上面部９ａの下方近傍に配置される。
【００２０】
リッド１３は、ボックス開口１６を開閉可能な略板状の蓋体であって、ボックス開口１６を閉止する閉止位置（図３参照）と、ボックス開口１６を開放する開放位置（図４参照）との間を、上部側の回転軸１８を中心として傾動自在にキャブ２に支持される。閉止位置のリッド１３は、ボックス開口１６の後方で起立した状態でボックス開口１６を塞ぐ。閉止位置におけるリッド１３の上端部（他側の端部）１９（以下、単に上端部１９という。）は、ヘッドライニング９の上面部９ａとの間に間隙２７を設けた状態で上面部９ａから下方へ離間した位置に配置される。また、閉止位置におけるリッド１３の上端部１９の裏面１３ａ（閉止位置における後面）は、外装パネル１４の後板部１４ｂから後方へ離間した位置に配置される。リッド１３は、閉止位置におけるリッド１３の下端部（一側の端部）２０を後上方（開放方向且つ他側）へ傾動させることによって、開放位置へ到達する。開放位置のリッド１３は、ヘッドライニング９の上面部９ａの下方で略水平の状態で上下方向と交叉する。開放位置のリッド１３の下方には、ボックス開口１６が後方へ向かって開口している。リッド１３の上端部１９の裏面１３ａには、ランプ１２を支持するランプ支持部２１が設けられる。ランプ支持部２１は、板状に形成され、リッド１３を閉止位置に配置した閉止状態において、ボックス開口１６の上側の開口縁１６ａよりも上方に配置され、上下方向と交叉した状態で前方へ突出して車幅方向に延び、ランプ１２を下方から支持する。
【００２１】
ランプ１２は、車両１の前照灯の点消灯に応じて点消灯するランプであって、閉止状態におけるリッド１３のランプ支持部２１の上面に載置され、ランプ支持部２１に対して固定され、リッド１３とともに傾動する。ランプ１２は、ランプ支持部２１の上方で車幅方向に長尺に延びる。閉止状態で、ランプ１２の前方には外装パネル１４の後板部１４ｂが起立し、ランプ１２の後方はリッド１３によって覆われ、ランプ１２の下方はランプ支持部２１に覆われ、ランプ１２の上方はヘッドライニング９の上面部９ａへ向かって開放される（図３参照）。すなわち、閉止状態におけるランプ１２は、収納ボックス１１及びリッド１３に上方から覆われることなく、ボックス開口１６よりも上方の車室４へ向かって光を照射可能である。リッド１３を開放位置に配置した開放状態で、ランプ１２の前方には外装パネル１４の後板部１４ｂが起立し、ランプ１２の上方はリッド１３によって覆われ、ランプ１２の後方はランプ支持部２１に覆われ、ランプ１２の下方は開放される。すなわち、開放状態におけるランプ１２は、収納ボックス１１及びリッド１３に下方から覆われることなく、下方へ向かって光を照射可能である。
【００２２】
上記のように構成された照明付収納装置１０では、閉止状態におけるランプ１２は、収納ボックス１１及びリッド１３に上方から覆われることなく、ヘッドライニング９の上面部９ａへ向かって開放され、ボックス開口１６よりも上方の車室４へ向かって光を照射可能である。また、閉止位置におけるリッド１３の上端部１９は、ヘッドライニング９の上面部９ａとの間に間隙２７を設けた状態で上面部９ａから下方へ離間した位置に配置される。このため、閉止状態でランプ１２を点灯すると、ランプ１２は、ヘッドライニング９の上面部９ａを照明することによって、ヘッドライニング９の上面部９ａを介して間接的に車室４を照明する間接照明として機能する。
【００２３】
また、開放位置のリッド１３の下方には、ボックス開口１６が後方へ向かって開口している。そして、開放状態におけるランプ１２は、収納ボックス１１及びリッド１３に下方から覆われることなく、下方へ向かって光を照射可能である。このため、収納ボックス１１の収納空間１７の内部をランプ１２によって照明することができる。
【００２４】
このように、ランプ１２を、収納ボックス１１の収納空間１７の内部を照明するための照明灯及び間接照明の室内灯の双方に兼用することができるので、収納ボックス１１の収納空間１７の内部を照明するための照明灯と室内灯とを別々に設ける場合に比べ、部品点数を低減することができる。
【００２５】
従って、本実施形態によれば、部品点数の増加を抑制しつつ収納ボックス１１の収納空間１７の内部を照明することができる。
【００２６】
なお、本実施形態では、収納ボックス１１のボックス開口１６及びランプ１２をヘッドライニング９の上面部（車室内面部）９ａの近傍に配置したが、ボックス開口１６及びランプ１２を車室内面部の近傍に配置しなくてもよい。
【００２７】
また、本実施形態では、閉止状態のランプ１２を間接照明として機能させたが、これに限定されるものではなく、車室４を直接照明する室内灯として機能させてもよい。
【００２８】
また、本実施形態では、リッド１３の裏面１３ａにランプ支持部２１を設け、ランプ支持部２１にランプ１２を固定したが、ランプ支持部２１を設けることなく、リッド１３の裏面１３ａにランプ１２を固定してもよい。
【００２９】
また、本実施形態では、リッド１３の上端部１９にランプ１２を固定したが、ランプ１２を固定する位置はリッド１３の上端部１９に限定されるものではなく、リッド１３の上端部１９以外の裏面１３ａに固定することができる。
【００３０】
また、本実施形態では、ランプ支持部２１及びランプ１２を、閉止状態においてボックス開口１６の上側の開口縁１６ａよりも上方に配置したが、これに限定されるものではなく、ランプ支持部２１及びランプ１２を、上側の開口縁１６ａよりも下方に配置してもよい。
【００３１】
また、本実施形態では、長尺に延びるランプ１２を設けたが、これに限定されるものではなく、例えば、電球状のランプをスポット的に設けてもよい。また、本実施形態では、車両１の前照灯の点消灯に応じて点消灯するランプ１２を設けたが、これに限定されるものではなく、例えば、車室４内に設けられたスイッチ等によって点消灯可能なランプであってもよい。
【００３２】
また、本実施形態では、開放位置のリッド１３を略水平にしたが、これに限定されるものではなく、開放状態のリッド１３の角度を適切に設定することにより、収納ボックス１１の収納空間１７の内部をランプ１２によって好適に照明してもよい。
【００３３】
また、本実施形態では、リッド１３の下端部２０を後上方へ傾動させてボックス開口１６を開放したが、これに限定されるものではない。例えば、図５（ａ）及び図５（ｂ）に示すように、リッド２２の左側の端部（一側の端部）２５を後方の右側（開放方向且つ他側）へ傾動させてボックス開口１６を開放してもよい。この場合、ランプ２３は、リッド２２の裏面２２ａのランプ支持部２４に固定され、閉止状態でランプ２３の後方はリッド２２に覆われ、ランプ２３の左側はランプ支持部２４に覆われ、ランプ２３の右側はリッド２２に覆われることなくヘッドライニング９の側面部（車室内面部）９ｂへ向かって開放され、リッド２２の右側の端部（他側の端部）２６はヘッドライニング９の側面部９ｂとの間に間隙２８を設けた状態でランプ２３よりも側面部９ｂの近傍に配置される（図５（ａ）参照）。開放状態でランプ２３の右側はリッド２２によって覆われ、ランプ２３の後方はランプ支持部２４に覆われ、ランプ２３の前方は収納ボックス１１の収納空間１７へ向かって開放され、ランプ２３の左側はボックス開口１６の後方の領域へ向かって開放される（図５（ｂ）参照）。これにより、閉止状態のランプ２３は、ヘッドライニング９の側面部９ｂを照明することによって車室４を照明する間接照明として機能し、開放状態のランプ２３は、収納ボックス１１の収納空間１７の内部を照明する。
【００３４】
また、本実施形態では、照明付収納装置１０を車室４の前上部の左右両側に設けたが、これに限定されるものではなく、左右のいずれか一方に設けてもよいし、或いは、車幅方向中央部に１つ設けてもよい。
【００３５】
以上、本発明について、上記実施形態に基づいて説明を行ったが、本発明は上記実施形態の内容に限定されるものではなく、当然に本発明を逸脱しない範囲で適宜変更が可能である。すなわち、この実施形態に基づいて当業者等によりなされる他の実施形態、実施例および運用技術等は全て本発明の範疇に含まれることは勿論である。
【００３６】
例えば、上記実施形態では、本開示に係る照明付収納装置１０をハイルーフ型の車両１に適用したが、ハイルーフ型ではない通常のルーフの車両に適用してもよい。
【００３７】
また、上記実施形態では、本開示に係る照明付収納装置１０を車室４の前上方のオーバーヘッドボックスに適用したが、これに限定されるものではなく、車室４内の他の場所に設けられる様々な収納装置に適用することができる。また、上記実施形態では、ボックス開口１６の開放方向を後方としたが、これに限定されるものではない。
【産業上の利用可能性】
【００３８】
本開示に係る照明付収納装置は、様々な車両に広く適用することができる。
【符号の説明】
【００３９】
１：車両
２：キャブ（車体）
４：車室
９：ヘッドライニング
９ａ：ヘッドライニングの上面部（車室内面部）
９ｂ：ヘッドライニングの側面部（車室内面部）
１０：照明付収納装置
１１：収納ボックス
１２，２３：ランプ
１３，２２：リッド
１３ａ，２２ａ：リッドの裏面
１６：ボックス開口
１７：収納空間
１９：リッドの上端部（他側の端部）
２０：リッドの下端部（一側の端部）
２５：リッドの左側の端部（一側の端部）
２６：リッドの右側の端部（他側の端部）
２７，２８：間隙
【図１】
2020044968.tif 000003
【図２】
2020044968.tif 000004
【図３】
2020044968.tif 000005
【図４】
2020044968.tif 000006
【図５】
2020044968.tif 000007